(57)【特許請求の範囲】
【請求項１】
電力デバイスであって、
ＡＣ電圧源に接続するための切換可能回路であり、複数の切換可能素子を備える前記切換可能回路と、
前記ＡＣ電圧源の電圧レベルを確認するためのセンサと、
前記ＡＣ電圧源の前記電圧レベルに基づいて前記切換可能回路の構成を自動的に確立するためのスイッチ制御部であり、前記電圧レベルが第１の電圧範囲内にあるときは電線−電線（Δ）構成で、前記電圧レベルが第２の電圧範囲内にあるときは電線−中性線（Ｙ）構成で、前記電力デバイスを前記ＡＣ電圧源に結合する前記スイッチ制御部と、
３相電力配分ユニットであって、前記ＡＣ電圧源が３相電圧源であり、前記３相電力配分ユニットが、前記３相電力配分ユニットに複数の単相電源を接続することを容易にする複数の出口コネクタを備える、３相電力配分ユニットと、
を備え、
前記複数の切換可能素子が、前記スイッチ制御部によってゲート制御される複数のトライアックを備え、前記複数のトライアックが、前記３相電圧源と前記複数の出口コネクタとの間に接続される、
電力デバイス。
【請求項２】
電力デバイスであって、
ＡＣ電圧源に接続するための切換可能回路であり、複数の切換可能素子を備える前記切換可能回路と、
前記ＡＣ電圧源の電圧レベルを確認するためのセンサと、
前記ＡＣ電圧源の前記電圧レベルに基づいて前記切換可能回路の構成を自動的に確立するためのスイッチ制御部であり、前記電圧レベルが第１の電圧範囲内にあるときは電線−電線（Δ）構成で、前記電圧レベルが第２の電圧範囲内にあるときは電線−中性線（Ｙ）構成で、前記電力デバイスを前記ＡＣ電圧源に結合する前記スイッチ制御部と、
３相電力配分ユニットであって、前記ＡＣ電圧源が３相電圧源であり、前記３相電力配分ユニットが、前記３相電力配分ユニットに複数の単相電源を接続することを容易にする複数の出口コネクタを備える、３相電力配分ユニットと、
を備え、
前記複数の切換可能素子が、前記スイッチ制御部によってゲート制御される複数のリレーを備え、前記複数のリレーが、前記３相電圧源と前記複数の出口コネクタとの間に接続される、
電力デバイス。
【請求項３】
前記第１の電圧範囲が低電圧範囲であり、前記第２の電圧範囲が高電圧範囲であり、前記低電圧範囲が前記高電圧範囲より低い電圧範囲である、請求項１又は請求項２に記載の電力デバイス。
【請求項４】
前記低電圧範囲が２００〜２０８Ｖを含み、前記高電圧範囲が３８０〜４１５Ｖを含む、請求項３に記載の電力デバイス。
【請求項５】
電力デバイスの切替可能回路の構成を自動的に確立する方法であって、前記切替可能回路はＡＣ電圧源に接続するためのものであり、前記切替可能回路が複数の切換可能素子を備え、
前記方法は、
前記ＡＣ電圧源の電圧レベルを感知することと、
前記ＡＣ電圧源の前記電圧レベルに基づいて前記切換可能回路の構成を自動的に確立することであり、前記電圧レベルが第１の電圧範囲内にあるときは電線−電線（Δ）構成で、前記電圧レベルが第２の電圧範囲内にあるときは電線−中性線（Ｙ）構成で、前記電力デバイスを前記ＡＣ電圧源に結合する、確立することと、
を含み、
前記電力デバイスが３相電力配分ユニットを備え、前記ＡＣ電圧源が３相電圧源であり、前記３相電力配分ユニットが前記３相電力配分ユニットに複数の単相電源を接続することを容易にする複数の出口コネクタを備え、前記複数の切替可能素子が前記３相電圧源と前記複数の出口コネクタとの間に接続された複数のトライアックを備え、
前記確立することが、前記電力デバイスを前記電線−電線（Δ）構成または前記電線−中性線（Ｙ）構成で結合するように、前記複数のトライアックをゲート制御することを含む、
方法。
【請求項６】
電力デバイスの切替可能回路の構成を自動的に確立する方法であって、前記切替可能回路はＡＣ電圧源に接続するためのものであり、前記切替可能回路が複数の切換可能素子を備え、
前記方法は、
前記ＡＣ電圧源の電圧レベルを感知することと、
前記ＡＣ電圧源の前記電圧レベルに基づいて前記切換可能回路の構成を自動的に確立することであり、前記電圧レベルが第１の電圧範囲内にあるときは電線−電線（Δ）構成で、前記電圧レベルが第２の電圧範囲内にあるときは電線−中性線（Ｙ）構成で、前記電力デバイスを前記ＡＣ電圧源に結合する、確立することと、
を含み、
前記電力デバイスが３相電力配分ユニットを備え、前記ＡＣ電圧源が３相電圧源であり、前記３相電力配分ユニットが前記３相電力配分ユニットに複数の単相電源を接続することを容易にする複数の出口コネクタを備え、前記複数の切替可能素子が前記３相電圧源と前記複数の出口コネクタとの間に接続された複数のリレーを備え、
前記確立することが、前記電力デバイスを前記電線−電線（Δ）構成または前記電線−中性線（Ｙ）構成で結合するように、前記複数のリレーをゲート制御することを含む、
方法。
【請求項７】
前記第１の電圧範囲が低電圧範囲であり、前記第２の電圧範囲が高電圧範囲であり、前記低電圧範囲が前記高電圧範囲より低い電圧範囲である、請求項５又は請求項６に記載の方法。
【請求項８】
前記低電圧範囲が２００〜２０８Ｖを含み、前記高電圧範囲が３８０〜４１５Ｖを含む、請求項７に記載の方法。
【請求項９】
請求項５から請求項８までのいずれかに記載の方法をコンピュータに実行させる、コンピュータ・プログラム。
【請求項１０】
請求項９に記載のコンピュータ・プログラムを格納した、コンピュータ可読記憶媒体。
【発明の詳細な説明】
【技術分野】
【０００１】
本発明は、自動的に確立される入力電圧接続構成を備えた電力デバイスに関する。
【背景技術】
【０００２】
世界の異なる国々または地域あるいはその両方に対する商用電力仕様は様々であり得る。たとえば、米国、日本、および他の国々における供給電力は、典型的には、たとえば２００〜２０８Ｖの低電圧範囲内であり、欧州および世界の特定の他の地域における供給電力は、多くの場合、３８０〜４１５Ｖの高電圧範囲内である。したがって、世界の異なる国々または地域におけるコンピュータ、サーバ、データ・センタなどは、異なる電源電圧を有することがあり、したがって使用される特定の国または地域に対して異なる構成とする必要があることがある。これにより、製品の製造および配送の複雑さが増し、ならびに適当な場所で適当な電力デバイスを使用することが必要になる。変更が生じた場合、たとえばコンピュータまたはデータ・センタを移動させた場合、新しい場所での商用電力仕様に電力デバイスを変更することが必要になる可能性がある。たとえば、異なる電力デバイスは、異なる地理的な場所で使用するために、それらの場所での商用電力仕様が異なることを考慮して製造されていることがあり、製品の移動の結果、新しい商用電力仕様に準拠するために新しい電力デバイス（たとえば、変換器）を購入したり置き換えたりすることが必要になることがある。
【発明の概要】
【発明が解決しようとする課題】
【０００３】
本発明の目的は、自動的に確立される入力電圧接続構成を備えた電力デバイスを提供することである。
【課題を解決するための手段】
【０００４】
一態様において、切換可能回路、センサ、およびスイッチ制御部を含む電力デバイスの提供によって、従来技術の欠点が克服され、追加の利点が提供される。切換可能回路は、ＡＣ電圧源に接続するためのものであり、複数の切換可能素子を含む。センサは、ＡＣ電圧源の電圧レベルを確認するためのものであり、スイッチ制御部は、ＡＣ電圧源の電圧レベルに基づいて切換可能回路の構成を自動的に確立し、スイッチ制御部は、電圧レベルが第１の電圧範囲内にあるときは電線−電線（Δ）構成で、電圧レベルが第２の電圧範囲内にあるときは電線−中性線（Ｙ）構成で、電力デバイスをＡＣ電圧源に結合する。
【０００５】
有利には、１つまたは複数の態様では、本明細書に提供する電力デバイス、制御方法、およびコンピュータ・プログラム製品が、入力電圧結合構成を自動的に確立する結合接続ファシリティを組み込む。特に、ＡＣ電圧源の入力電圧レベルを最初に確認することによって、スイッチ制御部は、ＡＣ電圧源の電圧レベルに基づいて切換可能回路の構成を自動的に確立し、電圧レベルが第１の電圧範囲内にあるときは電線−電線（Δ）構成で、または電圧レベルが第２の電圧範囲内にあるときは電線−中性線（Ｙ）構成で、電力デバイスをＡＣ電圧源に接続する。１つまたは複数の実施形態では、電力デバイスは、切換可能回路を含む再構成可能なブリッジ整流器を含むことができ、１つまたは複数の他の実施形態では、電力デバイスは、電力配分ユニットとすることができ、またはそれを含むことができる。有利には、開示される自動結合構成ファシリティにより、一般的な低コストの２００〜２４０Ｖのブースト・トポロジ電源の使用が有効になる。さらに、開示される電力デバイスは、デバイスの接続をローカルの電圧源にカスタマイズするために外部ジャンパ、スイッチなどがなくても、世界中で利用することができる。
【０００６】
自動接続構成ファシリティを実施するために追加の構成要素はほとんど必要とされず、そのような追加の構成要素または変更も軽微で低コストである。本明細書に開示するファシリティによって、追加の電力損失が加えられることはほとんどない。１つまたは複数の態様では、自動結合構成ファシリティは、３〜５ｋＷまたはそれを上回る範囲内のＩＴ機器にとって特に有益である。さらに、３相電源として実施されるとき、平衡３相電力が得られて、より良好なライン・コードの利用が提供される。さらに、世界の誤った国または地域での誤った電力デバイスの使用など、過電圧の入力によるハードウェア損傷のリスクがなくなる。
【０００７】
１つまたは複数の実装形態では、電力デバイスは、ＡＣ電圧源に接続するための再構成可能なブリッジ整流器をさらに含むことができ、再構成可能なブリッジ整流器は切換可能回路を含む。１つまたは複数の実施形態では、切換可能回路の複数の切換可能素子は、複数のシリコン制御整流器を含むことができ、スイッチ制御部は、ＡＣ電圧源の電圧レベルに応じて、電線−電線（Δ）構成または電線−中性線（Ｙ）構成で電力デバイスを結合するように、複数のシリコン制御整流器のうちの１つまたは複数のシリコン制御整流器を自動的に有効または無効にすることができる。より詳細には、１つまたは複数の実装形態では、再構成可能なブリッジ整流器は、直列接続された複数のダイオードを含むことができ、ＡＣ電圧源の１つの相入力が、直列接続された複数のダイオードのうちの２つのダイオード間で再構成可能なブリッジ整流器に接続され、複数のシリコン制御整流器のうちの少なくとも２つのシリコン制御整流器を直列接続することができ、ＡＣ電圧源の別の相入力が、少なくとも２つのシリコン制御整流器のうちのシリコン制御整流器間で再構成可能なブリッジ整流器に接続される。
【０００８】
１つまたは複数の実施形態では、ＡＣ電圧源は、複数の相電線および１つの中性線を含むことができ、電力デバイスは単相電源とすることができる。１つまたは複数の他の実施形態では、ＡＣ電圧源は３相電圧源とすることができ、電力デバイスは３相電源とすることができ、３相電源の各相は、スイッチ制御部によって、電線−電線動作または電線−中性線動作のために接続可能である。
【０００９】
１つまたは複数の実施形態では、電力デバイスは３相電力配分ユニットを含み、ＡＣ電圧源は３相電圧源であり、３相電力配分ユニットは、３相電力配分ユニットに複数の単相電源を接続することを容易にする複数の出口コネクタを含む。例として、３相電力配分ユニットの複数の切換可能素子は、スイッチ制御部によってゲート制御される複数のトライアックを含むことができ、複数のトライアックは、３相電圧源と複数の出口コネクタとの間に接続される。さらなる例として、複数の切換可能素子は、スイッチ制御部によって活動化される複数のリレーを含むことができ、複数のリレーは、３相電圧源と複数の出口コネクタとの間に接続される。
【００１０】
１つまたは複数の実装形態では、第１の電圧範囲は低電圧範囲であり、第２の電圧範囲は高電圧範囲であり、低電圧範囲は高電圧範囲より低い電圧範囲である。例として、低電圧範囲は、２００〜２０８Ｖとすることができ、またはそれを含むことができ、高電圧範囲は、３８０〜４１５Ｖとすることができ、またはそれを含むことができる。
【００１１】
１つまたは複数の態様に関連する方法およびコンピュータ・プログラム製品もまた、本明細書に記載および特許請求されている。
【００１２】
追加の特徴および利点は、本発明の技法によって実現される。本発明の他の実施形態および態様は、本明細書に詳細に説明されており、特許請求される本発明の一部と見なされる。
【００１３】
本発明の１つまたは複数の態様は、例として特に指摘され、本明細書の末尾の特許請求の範囲に明瞭に特許請求される。本発明の上記その他の目的、特徴、および利点は、添付の図面と併せて以下の詳細な説明から明らかである。
【図面の簡単な説明】
【００１４】
【図１】複数の電源が電線−電線（またはΔ）構成で接続されたＡＣ電圧源を含む回路の一実施形態の概略図である。
【図２】複数の電源が電線−中性線（またはＹ）構成で接続されたＡＣ電圧源を含む回路の一実施形態の概略図である。
【図３】本発明の１つまたは複数の態様による１つまたは複数の電力デバイスを含むことができる電子機器またはＩＴラックの一実施形態の横断面正面図である。
【図４】単相電源をＡＣ電圧源に結合するブリッジ整流器を備えた、本発明の１つまたは複数の態様によって修正される単相電源の一実施形態を示す図である。
【図５】本発明の１つまたは複数の態様による、ＡＣ電圧源に接続する、単相電源ユニットとして構成された、電力デバイスの一実施形態を示す図である。
【図６】本発明の１つまたは複数の態様による、３相ＡＣ電圧源に接続する、３相電源ユニットとして構成された、電力デバイスの一実施形態を示す図である。
【図７】本発明の１つまたは複数の態様による、３相ＡＣ電圧源に接続する、異なるタイプの切換可能回路の使用を（例として）示す、電力配分ユニットとして構成された電力デバイスの一実施形態を示す概略図である。
【図８】本発明の１つまたは複数の態様による電力デバイスの感知および制御態様のうちの１つまたは複数を実施することができる計算システムの一実施形態を示す図である。
【発明を実施するための形態】
【００１５】
ＡＣ／ＤＣ電源および電力配分ユニット（ＰＤＵ）などの電力デバイスは、利用可能な世界の電圧範囲に基づいて動作する必要がある。世界の国々または地域は概して、２つの線間電圧範囲に分類することができ、いくつかの国は、たとえば２００〜２０８Ｖの低電圧範囲内に入り、他の国は、たとえば３８０〜４１５Ｖの高電圧範囲内に入る。比較によって、コンピュータ、サーバ、データ・センタなど向けのほとんどの電源は、２００〜２４０Ｖの範囲内の入力電圧源を利用する。ＡＣ線間電圧または入力電圧が低電圧範囲内にあるとき、電力デバイスは、図１に示すように、電線−電線（Δ）構成で接続して電圧源から線間電圧を引き出すことができる。
【００１６】
特に、図１は、入力源またはＡＣ電圧源１０１が２００〜２０８Ｖの低電圧範囲内の線間電圧を有する電力回路１００の一実施形態を示し、図示のように、３つの別個の電源１０２が電線−電線構成で接続されており、１つの電源が電線Ａ−Ｂの接続によって給電され、別の電源が電線Ｂ−Ｃの接続によって給電され、第３の電源が電線Ａ−Ｃの接続によって給電されることを示している。図１に示す３相の電線−電線（Δ）ワイア構成は、典型的には、単相システム向けの結線を構築することによって提供することができる。しかし、３〜５ｋＷを上回る電力製品は、典型的には３相システムであり、製品自体が、適正な電線−電線（または電線−中性線（Ｙ））入力を電圧源に提供する必要がある。
【００１７】
図２は、高電圧範囲の国向けに接続された電力回路１００’の一実施形態を示し、電源１０２は、電線−中性線（Ｙ）構成で入力源１０１’に接続されている。この構成で、電力回路１００’の各電源１０２は、電線Ａ−中性線、電線Ｂ−中性線、または電線Ｃ−中性線のうちの１つに接続され、その結果得られる相電圧は、線間電圧（すなわち、電線−電線電圧）を３の平方根で割った値に等しく、したがって電源１０２の入力は、線間電圧が３８０〜４１５の範囲内であると仮定して、２２０〜２４０Ｖの範囲内になるはずである。この場合も、電力配分構成要素に対して、３〜５ｋＷの範囲内またはそれ以下のデバイスは、単相電力を利用することができ、結線を構築することで、適正なＡＣ線間電圧を提供することができる。３〜５ｋＷの範囲内またはそれ以上のシステムの場合、３相電圧源を使用することができ、電力デバイスを電圧源に接続するために、電線−電線（Δ）構成または電線−中性線（Ｙ）構成のいずれかを必要とするはずである。
【００１８】
１つの応用例として、電力デバイスは、たとえばデータ・センタのＩＴまたは電子機器ラック向けの電源とすることができる。別の実施形態では、電力デバイスは、たとえばデータ・センタのＩＴまたは電子機器ラックの電力配分ユニットとすることができ、またはそれを含むことができ、ラックの個々のコンピュータ、サブシステム、サーバ、引出し、ブレード内などの１つまたは複数の電源に供給することができる。全体として２００と表す電子機器ラックの一実施形態を、図３に例として示す。
【００１９】
図示の実施形態では、電子機器ラック２００は、複数の電子機器サブシステム２０１を含み、（一実施形態では）冷気２０２がルーバ付きの空気入口扉２１０を介して入ってきてルーバ付きの空気出口扉２１１から温気２０３として排出されることによって空冷することができる。電子機器ラック２００はまた、少なくとも１つの大容量電力アセンブリ２０４を含み、大容量電力アセンブリ２０４は、本明細書に開示するような１つまたは複数の電力配分ユニットを含むことができる。１つまたは複数の電子サブシステム２０１は、一例では、１つまたは複数のプロセッサ、関連メモリ、入出力アダプタ、ディスク記憶デバイス、および（１つまたは複数の実施形態では）電源を含む。図３にやはり示すように、ラックは、Ｉ／Ｏおよびディスク拡張サブシステム２０５を含むことができ、Ｉ／Ｏおよびディスク拡張サブシステム２０５は、１つの詳細な例では、電子機器ラックの１つまたは複数の電子サブシステム向けのＰＣＩｅカード・スロットおよびディスク・ドライバを有することができる。
【００２０】
このラックの例では、３相ＡＣ電源が、ＡＣ電源またはライン・コード２０６を介して大容量電力アセンブリ２０４に電力を供給し、大容量電力アセンブリ２０４は、配電ケーブル２０７を介して複数の電子機器サブシステム２０１へ出力するのに適当な電力レベルで、供給されたＡＣ電力を分割することができる。ＡＣ電源コード２０６は、一例では、国際的な４１５ＶＲＭＳ向けの３相を供給することができ、たとえば１００アンペアの電流制限定格を有することができる。電子機器ラック内に設置される電子サブシステム２０１の数は変更することができ、顧客のニーズに依存する。
【００２１】
世界の異なる場所で動作する電子機器ラックに対する１つの一般的な解決策は、２つの異なる電源または２つの異なる電力配分ユニット（ＰＤＵ）あるいはその両方から電源を得ることである。一例として、この解決策では、電力配分ユニットは典型的には、地理に応じて適当なシステム供給電圧向けに出荷時に構成または選択される。異なる供給電圧によって供給される異なる地理的な場所（低電圧範囲または高電圧範囲のうちの他方の範囲内にある）へシステムを動かすことは、難しい可能性がある。この手法では、それぞれ体積を低減させたデバイス部品の数を増大させるため、コストが増大する。現在利用可能な入力電圧範囲とともに誤ったＰＤＵが使用された場合、損傷が生じる可能性がある。
【００２２】
別の解決策は、スイッチまたはジャンパを電力配分ユニットに手動で重ねることである。しかし残念ながら、そのような手法は、構成の誤りを招く可能性があり、その場合もデバイスの損傷をもたらすことがある。
【００２３】
さらなる手法は、常に電線−電線（Δ）で動作する広範囲（２００〜４１５Ｖ）の電源を利用することである。Ｖｉｅｎｎａ整流器は、この入力範囲に対応することができる３相供給である。３つの単相整流器を使用することもできる。バック・ブーストおよび特定のブースト・レギュレータは、この入力範囲に対応することができる。この解決策の欠点は、より大きいサイズのデバイスが必要となり、その結果、効率が低下し、複雑さが増し、コストが増大することである。
【００２４】
上記を考慮して、本明細書には（１つまたは複数の態様では）、たとえばＡＣ電圧源の線間電圧などの感知された入力電圧に基づいて必要とされるＡＣ電圧源への電力デバイスの結合構成を自動的に確立する電力デバイスおよび方法が開示される。例として、１つまたは複数の実施形態では、電力デバイスは電源とすることができ、自動的に構成することは、電源のブリッジ整流器とともに実行することができる。ブリッジ整流器は、感知された入力電圧に基づいて必要とされる電線−電線または電線−中性線の動作向けに自動的に構成することができる。たとえば、電源は、低電圧範囲の入力電圧の場合は電線−電線（Δ）構成から、高電圧範囲の入力電圧の場合は電線−中性線（Ｙ）構成から動作することができる。有利には、本明細書に開示する解決策により、一般的な低コストの２００〜２４０Ｖのブースト・トポロジ電源の使用が有効になる。いかなる外部ジャンパ、スイッチなども使用することなく、単一の世界的な部品番号が実現される。また、さらなる構成要素がほとんど追加されないため、電力デバイスの全体的なサイズまたはコストにはほとんど影響はない。加えて、回路の追加によるあらゆる電力損失は、有利には軽微である。
【００２５】
概して、本明細書には、電力デバイスをＡＣ電圧源に結合するように切換可能回路の構成を自動的に確立することを容易にする電力デバイス、方法、およびコンピュータ・プログラム製品が開示される。たとえば、切換可能回路、センサ、およびスイッチ制御部を含む電力デバイスが提供される。切換可能回路は、ＡＣ電圧源に接続するためのものであり、複数の切換可能素子を含む。センサは、ＡＣ電圧源の電圧レベルを確認するためのものであり、スイッチ制御部は、ＡＣ電圧源の電圧レベルに基づいて切換可能回路の構成を自動的に確立する。スイッチ制御部は、電圧レベルが第１の電圧範囲内にあるときは電線−電線（Δ）構成でＡＣ電圧源に、電圧レベルが第２の電圧範囲内にあるときは電線−中性線（Ｙ）構成でＡＣ電圧源に、電力デバイスを結合する。
【００２６】
１つまたは複数の実施形態では、電力デバイスは、ＡＣ電圧源に接続するための再構成可能なブリッジ整流器を含む。再構成可能なブリッジ整流器は、切換可能回路を含む。例として、切換可能回路の複数の切換可能素子は、複数のシリコン制御整流器を含むことができる。そのような場合、スイッチ制御部は、ＡＣ電圧源の電圧レベルに応じて、電線−電線（Δ）構成または電線−中性線（Ｙ）構成で電力デバイスを結合するように、複数のシリコン制御整流器のうちの１つまたは複数のシリコン制御整流器を自動的に有効または無効にする。
【００２７】
１つまたは複数の実施形態では、再構成可能なブリッジ整流器は、直列接続された複数のダイオードを含むことができ、ＡＣ電圧源の１つの相入力が、直列接続された複数のダイオードのうちの２つのダイオード間で再構成可能なブリッジ整流器に接続され、複数のシリコン制御整流器のうちの少なくとも２つのシリコン制御整流器を直列接続することができ、ＡＣ電圧源の別の相入力が、少なくとも２つのシリコン制御整流器のうちのシリコン制御整流器間で再構成可能なブリッジ整流器に接続される。
【００２８】
例として、ＡＣ電圧源は、複数の相電線および１つの中性線を含むことができ、電力デバイスは単相電源とすることができる。１つまたは複数の他の実施形態では、ＡＣ電圧源は３相電圧源とすることができ、電力デバイスは３相電源とすることができる。そのような場合、３相電源の各相は、複数の切換可能素子を制御するスイッチ制御部によって、電線−電線または電線−中性線で接続可能である。
【００２９】
１つまたは複数の実施形態では、電力デバイスは３相電力配分ユニットであり、ＡＣ電圧源は３相電圧源であり、３相電力配分ユニットは、３相電力配分ユニットに複数の単相電源を接続することを容易にする複数の出口または出口コネクタを含む。
【００３０】
１つまたは複数の実施形態では、複数の切換可能素子は、スイッチ制御部によってゲート制御される複数のトライアックを含むことができる。複数のトライアックは、入力３相電圧源と複数の出口コネクタとの間に接続することができる。１つまたは複数の他の実施形態では、複数の切換可能素子は、スイッチ制御部によって活動化される複数のリレーを含むことができる。複数のリレーは、入力３相電圧源と複数の出口コネクタとの間に接続することができる。
【００３１】
例として、第１の電圧範囲は低電圧範囲とすることができ、第２の電圧範囲は高電圧範囲とすることができ、低電圧範囲は高電圧範囲より低い。たとえば、低電圧範囲は、２００〜２０８Ｖとすることができ、またはそれを含むことができ、高電圧範囲は、３８０〜４１５Ｖとすることができ、またはそれを含むことができる。
【００３２】
参照として、図４は、ＡＣ電圧源への接続３０１を含む典型的な電源３００の一実施形態を示し、接続３０１は、実装形態に応じて、ｐｈａｓｅ＿Ａ接続と、ｐｈａｓｅ＿Ｂまたは中性線接続とを含む。単相電源回路３０２に加えて、電源３００はブリッジ整流器３１０を含み、ブリッジ整流器３１０は、交流（ＡＣ）入力を直流（ＤＣ）出力に変換することを容易にするために、いずれの入力極性の電圧信号にも同じ出力極性を提供する（図示の実施形態では）４つのダイオード３１１をブリッジ回路構成内に含む。
【００３３】
比較として、図５は、本発明の１つまたは複数の態様による単相電源として構成された電力デバイス４００の一実施形態を示す。この実施形態では、ＡＣ電圧源のｐｈａｓｅ＿Ａ、ｐｈａｓｅ＿Ｂ、および中性線を含む３つの接続またはワイア４０１が、電力デバイス４００に接続されている。単相電源回路４０２に加えて、電力デバイス４００は、再構成可能なブリッジ整流器４１０と、電圧センサおよびスイッチ制御部４０４とを含む。図示のように、複数の直列接続されたダイオード４１１とともに、再構成可能なブリッジ整流器４１０は、２つの異なる分岐回路として構成された複数のシリコン制御整流器４１２、４１２’を含み、一方は、電線−電線（Δ）構成接続の場合にスイッチが入り、他方は、電線−中性線（Ｙ）接続構成の場合にスイッチが入る。
【００３４】
説明したように、１つまたは複数の実施形態では、電線４０１にかかるＡＣ電圧源の電圧レベルを感知して、電圧レベルが第１の電圧範囲内にあるか、それとも第２の電圧範囲内にあるかを判定する。１つまたは複数の実施形態では、感知される電圧レベルは、ＡＣ電圧源の線間電圧とすることができる。感知される電圧レベルに応じて、スイッチ制御部４０４は、電線−電線動作または電線−中性線動作のいずれかのために電源を構成するように、シリコン制御整流器４１２、４１２’をゲート制御して適宜作動させる。記載したように、１つまたは複数の実施形態では、電線−電線動作は、たとえば２００〜２０８Ｖの範囲内の低電圧範囲の入力源に対して利用することができ、電線−中性線動作は、たとえば３８０〜４１５Ｖの範囲内の高電圧範囲の入力に対して利用することができる。
【００３５】
電力デバイス５００の別の実施形態（本発明の１つまたは複数の態様による）が図６に示されており、電力デバイスは、例として、図５の単相電源の回路４０５を相ごとに繰り返す３相電源である。この例では、３相電源５００は、ｐｈａｓｅ＿Ａ、ｐｈａｓｅ＿Ｂ、ｐｈａｓｅ＿Ｃ、および中性線を含む３相電圧源５０１に結合される。図示の実施形態では、各回路４０５は、異なる線間電圧および中性線接続を使用して構成可能に接続されており、図示のように、１つの回路４０５が、ｐｈａｓｅ＿Ａ、ｐｈａｓｅ＿Ｂ、および中性線に接続され、別の回路４０５が、ｐｈａｓｅ＿Ｂ、ｐｈａｓｅ＿Ｃ、および中性線に接続され、さらなる回路４０５が、ｐｈａｓｅ＿Ｃ、ｐｈａｓｅ＿Ａ、および中性線に接続される。変換器またはブリッジ整流器に結線されたこれらの相は、各相で等しい電流を提供するように互い違いに配置されている。この実施形態では、各単相ブリッジ整流器４１０（または変換器）は、図５に関連して上述したように、シリコン制御整流器４１２、４１２’が電圧センサおよびスイッチ制御部４０４によって制御されるように構成することができる。各回路４０５の出力は、共通の出力電圧バス５１０とすることができる。
【００３６】
さらなる例として、図７は、本発明の１つまたは複数の態様による電力デバイス６００の追加の実施形態を示す。この実施形態では、電力デバイス６００は、データ・センタの電子機器またはＩＴラックに使用され得るような電力配分ユニットとして構成されている。図６の電力デバイスの実施形態と同様に、３相電圧源のまたは３相電圧源へのｐｈａｓｅ＿Ａ、ｐｈａｓｅ＿Ｂ、ｐｈａｓｅ＿Ｃ、および中性線の接続６０１が設けられており、各相は、単相電源のための複数の出口コネクタ６０２を含むことが示されている。図示の例では、各相は４つの出口コネクタを有し、電力配分ユニットによって合計１２個の出口コネクタが設けられ、たとえば１２個の別個の単相電源６０３が供給される。１２個の単相電源６０３は、電力配分ユニットから遠隔に（たとえば、電子機器またはＩＴラックの個々のサブシステム内に）位置することができる。電力配分ユニットによって、任意の数のコネクタを設けることができる。別の実施形態では、各相に３つのコネクタを設けることができ、合計９つの出口コネクタが、９つの別個の電源ユニット６０３に給電することができる。
【００３７】
電力デバイス６００は、線間電圧などのＡＣ電圧源の入力電圧レベルを感知し、ならびに電線−電線構成または電線−中性線構成のいずれかで電力配分ユニットの動作を提供するために、電圧センサおよびスイッチ制御部６０４をさらに含む。
【００３８】
例として、電力配分ユニットの１つの相にある単相電源のためのコネクタ６０２は、ｐｈａｓｅ＿Ａに接続されており、電線−電線動作が所望されるか、それとも電線−中性線動作が所望されるかに応じて、ｐｈａｓｅ＿Ｂまたは中性線のいずれかに選択的に結合されることが示されている。この構成では、複数の個別のトライアック６１０を切換可能素子として利用することができる。トライアック６１０は、シリコン制御整流器に類似しているが電流が両方向に流れることを可能にする半導体デバイスである。図示の実施形態では、単相電源のための複数のコネクタ６０２が、別の相ｐｈａｓｅ＿Ｂに接続されており、ならびにトライアック６１０’を介してｐｈａｓｅ＿Ｃおよび中性線に選択的に接続可能である。この例では、１対のトライアック６１０’を使用して、単相電源のための出口コネクタ６０２をすべてその相に一斉に切り換えることができる。そのような場合、トライアック６１０’は、ｐｈａｓｅ＿Ａに接続された相にある各コネクタに付随するトライアック６１０より大きいトライアックとすることができる。
【００３９】
さらなる例として、１つまたは複数の実施形態では、図７の電力配分ユニットの第３の相で示すように、リレー６１１を代わりに利用することができる。この構成では、この相にある単相電源のための各コネクタ６０２は、ｐｈａｓｅ＿Ｃに接続されており、本明細書に記載するように、電線−電線または電線−中性線の動作を可能にするために、ｐｈａｓｅ＿Ａまたは中性線のいずれかに選択的に接続可能である。
【００４０】
図７に関しては、例示のみを目的として、異なる切換可能素子構成が提供されていることに留意されたい。１つまたは複数の実施形態では、電力配分ユニットの各相で同じ切換可能素子を利用することもできる。また、電力配分ユニットは、フィルタリング、監視、ヒュージングなどの図示しない他の機能を含むことができることにも留意されたい。
【００４１】
上記の説明から、本明細書に開示する電力デバイスが、電源または電力配分ユニットの構成を含めて、様々な構成をとることができることが、当業者には理解されよう。たとえば、１つまたは複数の実施形態では、電源は、整流器ブリッジ内のシリコン制御整流器を使用して、電線−電線または電線−中性線の動作のいずれかで動作するように設けることができる。１つまたは複数の他の実施形態では、電力配分ユニットには、たとえばそのユニットに設けられているＡＣ電圧源の感知された電圧レベルに応じて、電線−電線出口または電線−中性線出口のいずれかを設けることができる。
【００４２】
本明細書に開示する態様は、３〜５ｋＷの範囲内またはそれを上回るＩＴ機器にとって特に有益である。開示する電力デバイスおよび制御方法は、有利には、上述した問題に対するより低コストの解決策を提供する。さらに、図６を参照して説明したような３相電源を使用することで、平衡３相電力およびより良好なライン・コードの利用が提供される。本明細書に開示するデバイスはまた、電力デバイスから供給電圧への結線の誤りの結果として生じる入力過電圧によるハードウェア損傷のリスクをなくす。
【００４３】
図８を次に参照すると、処理システム７００の一例の概略図が示されており、処理システム７００は、電圧感知およびスイッチ制御などの本発明の１つまたは複数の態様を実施するために使用することができる。処理システム７００は、好適なシステムの単なる一例であり、本明細書に記載する本発明の実施形態の使用または機能性の範囲に対する何らかの限定を示唆することが意図されるものではない。ともかく、処理システム７００は、論じた電圧感知およびスイッチ制御の機能性など、本明細書に上述した機能性のいずれかの実施または実行あるいはその両方を行うことが可能である。
【００４４】
処理システム７００には、プログラム・モジュールなどの命令を実行するコンピュータ・システムの概略的な文脈で説明することができる計算システム７１２が存在する。概して、プログラム・モジュールは、特定のタスクを実行しまたは特定の抽象データ型を実施するルーチン、プログラム、オブジェクト、構成要素、論理回路、データ構造などを含むことができる。計算システム７１２の１つまたは複数の態様は、分散されたクラウド計算環境で実行することができ、通信ネットワークを通してリンクされた遠隔処理デバイスによって、タスクが実行される。分散されたクラウド計算環境では、プログラム・モジュールは、メモリ記憶デバイスを含むローカルおよび遠隔両方のコンピュータ・システム記憶媒体内に位置することができる。
【００４５】
図８に示すように、処理システム７００内の計算システム７１２は、汎用計算デバイスの形態で示されている。検出器／計算システム７１２の構成要素は、それだけに限定されるものではないが、１つまたは複数のプロセッサまたは処理ユニット７１６と、システム・メモリ７２３と、システム・メモリ７２３を含む様々なシステム構成要素をプロセッサ７１６に結合するバス７１８とを含むことができる。
【００４６】
バス７１８は、様々なバス・アーキテクチャのいずれかを使用するメモリ・バスまたはメモリ・コントローラ、周辺バス、アクセラレーテッド・グラフィックス・ポート、およびプロセッサまたはローカル・バスを含むいくつかのタイプのバス構造のいずれかの１つまたは複数である。限定されるものではないが例として、そのようなアーキテクチャには、業界標準アーキテクチャ（ＩＳＡ）、マイクロ・チャネル・アーキテクチャ（ＭＣＡ）、拡張ＩＳＡ（ＥＩＳＡ）、ビデオ・エレクトロニクス標準化団体（ＶＥＳＡ）、および周辺部品相互接続（ＰＣＩ）が含まれる。
【００４７】
計算システム７１２は、様々なコンピュータ・システム可読媒体を含むことができる。そのような媒体は、計算システム７１２によってアクセス可能である利用可能な任意の媒体とすることができ、揮発性媒体および不揮発性媒体、取外しできる媒体および取外しできない媒体の両方が含まれる。
【００４８】
たとえば、システム・メモリ７２３は、ランダム・アクセス・メモリ（ＲＡＭ）７３０またはキャッシュ・メモリ７３２あるいはその両方などの揮発性メモリの形態のコンピュータ・システム可読媒体を含むことができる。計算システム７１２は、他の取外しできる／取外しできない揮発性／不揮発性のコンピュータ・システム記憶媒体をさらに含むことができる。例示のみを目的として、取外しできない不揮発性磁気媒体（図示しないが、典型的には「ハード・ドライブ」と呼ばれる）に対する読取りおよび書込みのために、記憶システム７３４を設けることができる。図示しないが、取外しできる不揮発性磁気ディスク（たとえば、「フロッピー（Ｒ）・ディスク」）に対する読取りおよび書込みのための磁気ディスク・ドライブ、ならびにＣＤ−ＲＯＭ、ＤＶＤ−ＲＯＭまたは他の光媒体などの取外しできる不揮発性光ディスクに対する読取りまたは書込みのための光ディスク・ドライブを設けることができる。そのような例では、１つまたは複数のデータ媒体インターフェースによって、それぞれバス７１８に接続することができる。さらに図示および後述するように、メモリ７２３は、本発明の実施形態の機能を実施するように構成された１組（たとえば、少なくとも１つ）のプログラム・モジュールを有する少なくとも１つのプログラム製品を含むことができる。
【００４９】
限定されるものではないが例として、１組（少なくとも１つ）のプログラム・モジュール７４２を有するプログラム／ユーティリティ７４０をメモリ７２３内に、オペレーティング・システム、１つまたは複数のアプリケーション・プログラム、他のプログラム・モジュール、およびプログラム・データとして記憶することができる。オペレーティング・システム、１つもしくは複数のアプリケーション・プログラム、他のプログラム・モジュール、およびプログラム・データ、またはこれらの何らかの組合せはそれぞれ、ネットワーキング環境の一実装形態を含むことができる。プログラム・モジュール７４２は、概して、本明細書に記載する本発明の実施形態の機能または方法あるいはその両方を実施することができる。別法として、別個のスイッチ構成制御モジュール、論理回路など７０１を、計算環境７１２内に設けることができる。
【００５０】
計算システム７１２は、１つまたは複数のインターフェース７２２を介して、外部デバイス７１４およびディスプレイ７２４などの１つまたは複数の外部構成要素に電気的に接続することができる。また、１つまたは複数の実装形態では、図８に示すように、スイッチ構成制御部７０１を別個に設けて、バス７１８を介して計算システム７１２の他の構成要素に結合することができる。また、図示しないが、検出器／計算システム７１２とともに他のハードウェア構成要素またはソフトウェア構成要素あるいはその両方を使用することができることも理解されたい。例には、それだけに限定されるものではないが、マイクロコード、デバイス・ドライバ、冗長処理ユニットなどが含まれる。
【００５１】
本発明の制御態様は、システム、方法、またはコンピュータ・プログラム製品あるいはその組合せとすることができる。コンピュータ・プログラム製品は、プロセッサに本発明の態様を実施させるためのコンピュータ可読プログラム命令を有するコンピュータ可読記憶媒体を含むことができる。
【００５２】
コンピュータ可読記憶媒体は、命令実行デバイスによる使用に対する命令を保持および記憶することができる有形のデバイスとすることができる。コンピュータ可読記憶媒体は、たとえば、それだけに限定されるものではないが、電子記憶デバイス、磁気記憶デバイス、光記憶デバイス、電磁記憶デバイス、半導体記憶デバイス、または上記の任意の好適な組合せとすることができる。コンピュータ可読記憶媒体のより具体的な例の非網羅的な一覧には、命令が記録された携帯用コンピュータ・ディスケット、ハード・ディスク、ランダム・アクセス・メモリ（ＲＡＭ）、読取り専用メモリ（ＲＯＭ）、消去可能プログラマブル読取り専用メモリ（ＥＰＲＯＭまたはフラッシュ・メモリ）、スタティック・ランダム・アクセス・メモリ（ＳＲＡＭ）、携帯用コンパクト・ディスク読取り専用メモリ（ＣＤ−ＲＯＭ）、デジタル多用途ディスク（ＤＶＤ）、メモリ・スティック、フロッピー（Ｒ）・ディスク、パンチ・カードまたは溝の中の浮き出し構造などの機械的に符号化されたデバイス、および上記の好適な組合せが含まれる。本明細書では、コンピュータ可読記憶媒体は、それ自体が、無線波もしくは他の自由に伝播する電磁波、導波管もしくは他の伝送媒体を通って伝播する電磁波（たとえば、光ファイバ・ケーブルを通過する光パルス）、またはワイアを通って伝送される電気信号などの一過性の信号であると解釈されるべきではない。
【００５３】
本明細書に記載するコンピュータ可読プログラム命令は、コンピュータ可読記憶媒体からそれぞれの計算／処理デバイスにダウンロードすることができ、またはネットワーク、たとえばインターネット、ローカル・エリア・ネットワーク、ワイド・エリア・ネットワーク、もしくは無線ネットワークあるいはその組合せを介して、外部のコンピュータもしくは外部の記憶デバイスにダウンロードすることができる。ネットワークは、銅伝送ケーブル、光伝送ファイバ、無線伝送、ルータ、ファイアウォール、スイッチ、ゲートウェイ・コンピュータ、またはエッジ・サーバあるいはその組合せを備えることができる。各計算／処理デバイス内のネットワーク・アダプタ・カードまたはネットワーク・インターフェースは、ネットワークからコンピュータ可読プログラム命令を受信し、これらのコンピュータ可読プログラム命令を、それぞれの計算／処理デバイス内のコンピュータ可読記憶媒体に記憶するために転送する。
【００５４】
本発明の態様の動作を実施するコンピュータ可読プログラム命令は、Ｓｍａｌｌｔａｌｋ（Ｒ）、Ｃ＋＋などのオブジェクト指向プログラミング言語、および「Ｃ」プログラミング言語または類似のプログラミング言語などの従来の手続き型プログラミング言語を含む１つまたは複数のプログラミング言語の任意の組合せで書かれた、アセンブラ命令、命令セット・アーキテクチャ（ＩＳＡ）命令、機械命令、機械依存命令、マイクロコード、ファームウェア命令、状態設定データ、またはソース・コードもしくはオブジェクト・コードとすることができる。コンピュータ可読プログラム命令は、全体としてユーザのコンピュータ上で、部分的にユーザのコンピュータ上で独立型ソフトウェア・パッケージとして、部分的にユーザのコンピュータ上および部分的に遠隔コンピュータ上で、または全体として遠隔コンピュータもしくはサーバ上で実行することができる。後者のシナリオでは、遠隔コンピュータは、ローカル・エリア・ネットワーク（ＬＡＮ）もしくはワイド・エリア・ネットワーク（ＷＡＮ）を含む任意のタイプのネットワークを通して、ユーザのコンピュータに接続することができ、または外部のコンピュータに（たとえば、インターネット・サービス・プロバイダを使用してインターネットを通して）接続することができる。いくつかの実施形態では、本発明の態様を実行するために、たとえばプログラマブル論理回路、フィールド・プログラマブル・ゲート・アレイ（ＦＰＧＡ）、またはプログラマブル論理アレイ（ＰＬＡ）を含む電子回路が、電子回路をパーソナライズするコンピュータ可読プログラム命令の状態情報を利用することによって、コンピュータ可読プログラム命令を実行することができる。
【００５５】
本発明の特定の態様について、本発明の実施形態による方法、装置（システム）、およびコンピュータ・プログラム製品の流れ図またはブロック図あるいはその両方を参照して本明細書に説明する。流れ図またはブロック図あるいはその両方の各ブロック、ならびに流れ図またはブロック図あるいはその両方内のブロックの組合せは、コンピュータ可読プログラム命令によって実施することができることが理解されよう。
【００５６】
これらのコンピュータ可読プログラム命令は、コンピュータまたは他のプログラマブル・データ処理装置のプロセッサを介して実行される命令が、流れ図またはブロック図あるいはその両方の１つまたは複数のブロックに指定される機能／動作を実施する手段を形成するように、汎用コンピュータ、特別目的コンピュータ、または他のプログラマブル・データ処理装置のプロセッサに提供することができ、機械を得ることができる。これらのコンピュータ可読プログラム命令はまた、命令を記憶するコンピュータ可読記憶媒体が、流れ図またはブロック図あるいはその両方の１つまたは複数のブロックに指定される機能／動作の態様を実施する命令を含む製品を構成するように、コンピュータ可読記憶媒体内に記憶することができ、特定の形で機能するようにコンピュータ、プログラマブル・データ処理装置、または他のデバイスあるいはその組合せに指示することができる。
【００５７】
コンピュータ可読プログラム命令はまた、コンピュータ、他のプログラマブル装置、または他のデバイス上で実行される命令が、流れ図またはブロック図あるいはその両方の１つまたは複数のブロックに指定される機能／動作を実施するように、コンピュータ、他のプログラマブル・データ処理装置、または他のデバイスにロードすることができ、コンピュータ、他のプログラマブル装置、または他のデバイス上で一連の動作ステップを実行させて、コンピュータ実施プロセスを得ることができる。
【００５８】
これらの図の流れ図およびブロック図は、本発明の様々な実施形態によるシステム、方法、およびコンピュータ・プログラム製品の可能な実装形態のアーキテクチャ、機能性、および動作を示す。これに関して、流れ図またはブロック図内の各ブロックは、指定された論理機能を実施する１つまたは複数の実行可能な命令を含む命令のモジュール、セグメント、または部分を表すことができる。いくつかの代替実装形態では、ブロックに記載されている機能は、図に記載されている順序以外で行うことができる。たとえば、関連する機能性に応じて、連続して示す２つのブロックを実際には実質上同時に実行することができ、またはこれらのブロックを場合により逆の順序で実行することができる。また、ブロック図または流れ図あるいはその両方の各ブロック、ならびにブロック図または流れ図あるいはその両方内のブロックの組合せは、指定された機能もしくは動作を実行しまたは特別目的ハードウェアおよびコンピュータ命令の組合せを実施する特別目的のハードウェア・ベースのシステムによって実施することができることに留意されたい。
【００５９】
本明細書で使用する術語は、特定の実施形態について説明することのみを目的とし、本発明の限定が意図されるものではない。本明細書では、単数形の「ａ」、「ａｎ」、および「ｔｈｅ」は、文脈上別途明白に指示しない限り、複数形も同様に含むことが意図される。「含む、備える（comprise）」（ならびに「comprises」および「comprising」などのcompriseの任意の形式）、「有する（have）」（および「has」および「having」などのhaveの任意の形式）、「含む（include）」（および「includes」および「including」などのincludeの任意の形式）、ならびに「含む（contain）」（および「contains」および「containing」などのcontainの任意の形式）という用語は、オープン・エンドの連結動詞であることがさらに理解されよう。その結果、１つまたは複数のステップまたは要素を「含む、備える（comprises）」、「有する（has）」、「含む（includes）」、または「含む（contains）」方法またはデバイスは、それらの１つまたは複数のステップまたは要素を保持するが、それらの１つまたは複数のステップまたは要素だけを保持することに限定されるものではない。同様に、１つまたは複数の特徴を「含む、備える（comprises）」、「有する（has）」、「含む（includes）」、または「含む（contains）」方法のステップまたはデバイスの要素は、それらの１つまたは複数の特徴を保持するが、それらの１つまたは複数の特徴だけを保持することに限定されるものではない。さらに、特定の形態で構成されるデバイスまたは構造は、少なくともその形態で構成されるが、列挙されていない形態で構成することもできる。
【００６０】
以下の特許請求の範囲内のあらゆるミーンズまたはステップ・プラス・ファンクション（meansor step plus function）要素の対応する構造、材料、動作、および均等物は、もしあれば、具体的に特許請求されている他の特許請求される要素と組み合わせて機能を実行するために、任意の構造、材料、または動作を含むことが意図される。本発明の説明は、例示および説明の目的で提示されており、開示される形態の本発明に対して網羅的または限定的であることが意図されるものではない。本発明の範囲および思想から逸脱することなく、多くの修正形態および変形形態が当業者には明らかであろう。実施形態は、本発明の１つまたは複数の態様の原理および実際的な応用例について最善に説明し、当業者が様々な実施形態に対する本発明の１つまたは複数の態様について、企図される特定の使用に適した様々な修正形態とともに理解することができるように、選択および記載されたものである。
【符号の説明】
【００６１】
１００，１００’ 電力回路
１０１，１０１’  ＡＣ電圧源
１０２  電源
２００  電子機器ラック
２０１  電子機器サブシステム
２０２  冷気
２０３  温気
２０４  大容量電力アセンブリ
２０５  Ｉ／Ｏおよびディスク拡張サブシステム
２０６  ライン・コード
２０７  配電ケーブル
２１０  空気入口扉
２１１  空気出口扉
３００  電源
３０１  接続
３０２  単相電源回路
３１０  ブリッジ整流器
３１１  ダイオード
４００  電力デバイス
４０１  ワイア
４０２  単相電源回路
４０４  スイッチ制御部
４０５  回路
４１０  ブリッジ整流器
４１１  ダイオード
４１２，４１２’  シリコン制御整流器
５００  電力デバイス
５０１  ３相電圧源
５１０  出力電圧バス
６００  電力デバイス
６０１  接続
６０２  出口コネクタ
６０３  単相電源
６１０，６１０’  トライアック
６１１  リレー
【図１】
0006964382.tif 000002
【図２】
0006964382.tif 000003
【図３】
0006964382.tif 000004
【図４】
0006964382.tif 000005
【図５】
0006964382.tif 000006
【図６】
0006964382.tif 000007
【図７】
0006964382.tif 000008
【図８】
0006964382.tif 000009